(57)【要約】【課題】操作者が表示内容をよく見たいときに、自動的に見やすいような表示内容に切り替え、操作者の利便性を向上する。【解決手段】複数の無線タグ回路部Ｔｏに対し無線通信を行うためのＲＦ通信制御部９及びリーダアンテナ３と、表示部８と、表示部８に表示情報を表示させる表示制御部２１と、リーダ１が移動する際の移動加速度を検出する３軸加速度センサ２３と、３軸加速度センサ２３が検出した移動加速度を用いて、リーダ１の移動速度を算出し、算出した移動速度に応じて、表示制御部２１により表示部８に表示させる表示情報の内容を切り替える表示制御を行うことにより、リーダ１の動きに応じて異なる表示情報を表示部８に表示させるＣＰＵ４とを有する。【選択図】図２
2011076337.tif 000002
【特許請求の範囲】
【請求項１】
情報を記憶する記憶部を備えたＩＣ回路部と情報を送受信するタグアンテナとを備え、設置対象物に設けられた無線タグに対し、無線通信を行うための装置アンテナと、
前記装置アンテナを用いて前記無線タグから無線通信によりタグ識別情報の取得を行う情報取得手段と、
前記情報取得手段により前記タグ識別情報が取得された前記無線タグに対応した前記設置対象物を表す所定の表示情報を表示する表示部と
を有する携帯型無線タグ読み取り装置であって、
前記情報取得手段が無線通信による情報取得を行っているときの前記携帯型無線タグ読み取り装置の移動に係わる通信時移動状態量、及び、前記情報取得手段が無線通信による情報取得を行っていないときの前記携帯型無線タグ読み取り装置の移動に係わる非通信時移動状態量を検出する移動検出手段と、
前記移動検出手段が検出した前記通信時移動状態量及び前記非通信時移動状態量が、当該通信時移動状態量及び非通信時移動状態量に係わる所定の条件を満たしているか否かを判断する判断手段と、
前記判断手段により、前記移動検出手段が検出した前記通信時移動状態量及び前記非通信時移動状態量が前記所定の条件を満たしていると判断された場合に、前記表示部における前記表示情報の内容を切り替える表示制御手段と
を有することを特徴とする携帯型無線タグ読み取り装置。
【請求項２】
前記判断手段は、
前記所定の条件として、前記通信時移動状態量が所定の第１しきい値以上となった後、前記非通信時移動状態量が前記所定の第２しきい値以下となったか否かを判断し、
前記表示制御手段は、
前記判断手段により、前記通信時移動状態量が所定の第１しきい値以上となった後、前記非通信時移動状態量が前記所定の第２しきい値以下となったと判断された場合に、前記表示部における前記表示情報の内容を切り替える
ことを特徴とする請求項１記載の携帯型無線タグ読み取り装置。
【請求項３】
前記表示部は、
前記情報取得手段により前記タグ識別情報の取得が行われた前記無線タグに対応した前記設置対象物の外観画像又は対象物識別情報を表示し、
前記表示制御手段は、
前記判断手段により、前記通信時移動状態量が所定の第１しきい値以上となった後、前記非通信時移動状態量が前記所定の第２しきい値以下となったと判断された場合には、前記表示情報の内容を、前記情報取得手段により取得された直近の前記タグ識別情報に対応した固定表示モードに設定し、
前記判断手段により、前記通信時移動状態量が所定の第１しきい値以上となった後、前記非通信時移動状態量が前記所定の第２しきい値以下となったと判断されない場合には、前記表示情報の内容を、前記情報取得手段が前記タグ識別情報を取得するたびに切り替え可能な切替表示モードに設定する
ことを特徴とする請求項２記載の携帯型無線タグ読み取り装置。
【請求項４】
前記設置対象物の外観画像又は対象物識別情報と、当該設置対象物に対応する前記無線タグの前記タグ識別情報とを対応付けて記憶した記憶手段と、
前記情報取得手段により取得された前記タグ識別情報に対応付けられた前記外観画像又は前記対象物識別情報を、前記記憶手段より取得するデータ取得手段と
を有することを特徴とする請求項３記載の携帯型無線タグ読み取り装置。
【請求項５】
前記表示制御手段は、
前記切替表示モードでは、前記情報取得手段が取得した前記タグ識別情報を用いて前記データ取得手段が順次取得した前記外観画像を、前記表示部に情報取得履歴として一覧表示させ、
前記固定表示モードでは、直近に前記情報取得手段が取得した前記タグ識別情報を用いて前記データ取得手段が取得した１つの前記外観画像を、前記表示部に拡大表示させる
ことを特徴とする請求項４記載の携帯型無線タグ読み取り装置。
【請求項６】
前記表示制御手段は、
前記切替表示モードでは、前記情報取得手段が取得した前記タグ識別情報を用いて前記データ取得手段が順次取得した前記対象物識別情報を、前記表示部に情報取得履歴として一覧表示させ、
前記固定表示モードでは、直近に前記情報取得手段が取得した前記タグ識別情報を用いて前記データ取得手段が取得した１つの前記対象物識別情報又は１つの前記外観画像を、前記表示部に拡大表示させる
ことを特徴とする請求項４記載の携帯型無線タグ読み取り装置。
【請求項７】
前記表示制御手段は、
前記切替表示モードでは、前記情報取得手段が取得した前記タグ識別情報を用いて前記データ取得手段が順次取得した前記外観画像ごとに、前記表示部に順次切り替えて表示させ、
前記固定表示モードでは、直近に前記情報取得手段が取得した前記タグ識別情報を用いて前記データ取得手段が取得した１つの前記外観画像を、前記表示部に表示させる
ことを特徴とする請求項４記載の携帯型無線タグ読み取り装置。
【請求項８】
前記表示制御手段は、
前記切替表示モードでは、前記情報取得手段が取得した前記タグ識別情報を用いて前記データ取得手段が順次取得した前記対象物識別情報を、前記表示部に情報取得履歴として一覧表示させ、
前記固定表示モードでは、それまでに前記情報取得手段が取得した全ての前記タグ識別情報に共通して予め定められ、前記記憶手段より前記データ取得手段が取得した特定の前記外観画像を、前記表示部に表示させる
ことを特徴とする請求項４記載の携帯型無線タグ読み取り装置。
【請求項９】
前記表示制御手段は、
前記切替表示モードでは、前記記憶手段に前記タグ識別情報と対応付けて記憶された複数の前記外観画像を前記表示部に一覧表示させるとともに、それら一覧表示された複数の外観画像のうち、当該外観画像に対応する前記タグ識別情報が前記情報取得手段により直近に取得された１つの外観画像を、それ以外の外観画像から区別可能に強調表示させ、
前記固定表示モードでは、直近に前記情報取得手段が取得した前記タグ識別情報を用いて前記データ取得手段が取得した１つの前記外観画像を、前記表示部に拡大表示させる
ことを特徴とする請求項４記載の携帯型無線タグ読み取り装置。
【請求項１０】
前記表示制御手段は、
前記切替表示モードにおいては前記表示部の輝度を通常の輝度に設定し、前記固定表示モードにおいては前記表示部の輝度を前記通常の輝度よりも明るい輝度に設定する
ことを特徴とする請求項５乃至請求項９のいずれか１項記載の携帯型無線タグ読み取り装置。
【発明の詳細な説明】
【技術分野】
【０００１】
本発明は、無線タグから無線通信により情報を読み取る、携帯型無線タグ読み取り装置に関する。
【背景技術】
【０００２】
無線タグに対して情報読み取りを行う携帯型の無線タグ読み取り装置として、例えば特許文献１に記載の従来技術がある。この従来技術の無線タグ読み取り装置は、探索対象の無線タグに対応する表示情報が表示部としての操作パネルに表示され、操作者は、表示部において、探索対象の無線タグを選択する。操作者により選択された無線タグの識別情報を指定して通信が行われ、指定された無線タグから情報が取得される。無線タグから情報が取得されると、表示部に表示されていた、当該無線タグに対応する表示情報の表示態様が、情報取得前に比べて変化する。これにより、操作者が探索結果をわかりやすく確実に認識することができる。
【先行技術文献】
【特許文献】
【０００３】
【特許文献１】特開２００９−８６７１３号公報
【発明の概要】
【発明が解決しようとする課題】
【０００４】
一般に、携帯型無線タグ読み取り装置は、操作者の手により把持された状態で使用される。すなわち、操作者は、携帯型無線タグ読み取り装置を手で把持し、ある程度の速度で動かしつつ無線タグからの情報読み取りを行う。このとき、操作者が、情報読み取りの開始前、情報読み取り中、情報読み取り後等の適宜のタイミングで、表示内容の確認を意図する場合がある。この場合、操作者は、表示部を正しく視認できるように、上記のように動かす状態を止め携帯型無線タグ読み取り装置の移動を停止させることが多い。このような場合に、操作者の上記の視認の意図に対応して、操作者が見やすいように表示内容を切り替えるようにすれば、操作者がいちいち表示切り替え等の操作を行う必要がなく、便利である。
【０００５】
上記従来技術は、無線タグから情報取得されたときに表示を切り替えることで、情報が取得されたことをわかりやすく操作者に視認する。しかしながら、情報取得の有無に関係なく、情報読み取りの開始前、情報読み取り中、情報読み取り後等の適宜のタイミングにおいて操作者が表示内容をよく見たいときに表示切り替えを行うことについては、特に配慮されていない。
【０００６】
本発明の目的は、操作者が表示内容をよく見たいときに、自動的に見やすいような表示内容に切り替えることで操作者の利便性を向上できる、携帯型無線タグ読み取り装置を提供することにある。
【課題を解決するための手段】
【０００７】
上記目的を達成するために、第１の発明は、情報を記憶する記憶部を備えたＩＣ回路部と情報を送受信するタグアンテナとを備え、設置対象物に設けられた無線タグに対し、無線通信を行うための装置アンテナと、前記装置アンテナを用いて前記無線タグから無線通信によりタグ識別情報の取得を行う情報取得手段と、前記情報取得手段により前記タグ識別情報が取得された前記無線タグに対応した前記設置対象物を表す所定の表示情報を表示する表示部とを有する携帯型無線タグ読み取り装置であって、前記情報取得手段が無線通信による情報取得を行っているときの前記携帯型無線タグ読み取り装置の移動に係わる通信時移動状態量、及び、前記情報取得手段が無線通信による情報取得を行っていないときの前記携帯型無線タグ読み取り装置の移動に係わる非通信時移動状態量を検出する移動検出手段と、前記移動検出手段が検出した前記通信時移動状態量及び前記非通信時移動状態量が、当該通信時移動状態量及び非通信時移動状態量に係わる所定の条件を満たしているか否かを判断する判断手段と、前記判断手段により、前記移動検出手段が検出した前記通信時移動状態量及び前記非通信時移動状態量が前記所定の条件を満たしていると判断された場合に、前記表示部における前記表示情報の内容を切り替える表示制御手段とを有することを特徴とする。
【０００８】
本願第１発明においては、装置アンテナを用いて情報取得手段が通信対象の無線タグよりタグ識別情報の取得を行う。表示部には、上記取得された前記無線タグに対応した設置対象物を表す所定の表示情報が表示される。
【０００９】
一般に、操作者は、携帯型無線タグ読み取り装置を手で把持し、ある程度の速度で動かしつつ無線タグからの情報読み取りを行う。その後、操作者が、適宜のタイミングで、情報読み取り結果に対応した表示内容の確認を意図する場合がある。この場合、操作者は、表示部を正しく視認できるように、上記のように動かす状態を止め携帯型無線タグ読み取り装置の移動を停止させることが多い。
【００１０】
ここで、本願第１発明においては、移動検出手段が携帯型無線タグ読み取り装置の移動状態量を検出する。詳細には、移動検出手段は、情報取得手段が無線通信による情報取得を行っているときの通信時移動状態量と、情報取得手段が無線通信による情報取得を行っていないときの非通信時移動状態量とを検出する。そして、判断手段が、当該検出された通信時移動状態量及び非通信時移動状態量が、それら移動状態量に係わる所定の条件を満たしているかどうかを判断し、判断が満たされたら、表示制御手段が、表示部における表示情報の内容を切り替える。これにより、上記のように操作者が携帯型無線タグ読み取り装置を移動させた状態の後、携帯型無線タグ読み取り装置の移動を停止させた場合に、操作者が表示内容を確認しようとしているとみなし、表示情報の内容を当該確認を行いやすいような内容に切り替えることができる。すなわち、操作者が表示内容をよく見たいときに、特別な操作を行わなくても、自動的に見やすいような表示内容に切り替えることができる。したがって、操作者の利便性を向上することができる。
【００１１】
第２発明は、上記第１発明において、前記判断手段は、前記所定の条件として、前記通信時移動状態量が所定の第１しきい値以上となった後、前記非通信時移動状態量が前記所定の第２しきい値以下となったか否かを判断し、前記表示制御手段は、前記判断手段により、前記通信時移動状態量が所定の第１しきい値以上となった後、前記非通信時移動状態量が前記所定の第２しきい値以下となったと判断された場合に、前記表示部における前記表示情報の内容を切り替えることを特徴とする。
【００１２】
これにより、操作者が携帯型無線タグ読み取り装置を移動させて移動状態量が第１しきい値以上となった後、操作者が携帯型無線タグ読み取り装置の移動を停止させて移動状態量が第２しきい値以下となった場合に、操作者が表示内容を確認しようとしているとみなし、表示情報の内容を当該確認を行いやすいような内容に切り替えることができる。
【００１３】
第３発明は、上記第２発明において、前記表示部は、前記情報取得手段により前記タグ識別情報の取得が行われた前記無線タグに対応した前記設置対象物の外観画像又は対象物識別情報を表示し、前記表示制御手段は、前記判断手段により、前記通信時移動状態量が所定の第１しきい値以上となった後、前記非通信時移動状態量が前記所定の第２しきい値以下となったと判断された場合には、前記表示情報の内容を、前記情報取得手段により取得された直近の前記タグ識別情報に対応した固定表示モードに設定し、前記判断手段により、前記通信時移動状態量が所定の第１しきい値以上となった後、前記非通信時移動状態量が前記所定の第２しきい値以下となったと判断されない場合には、前記表示情報の内容を、前記情報取得手段が前記タグ識別情報を取得するたびに切り替え可能な切替表示モードに設定することを特徴とする。
【００１４】
これにより、操作者が携帯型無線タグ読み取り装置を動かし無線タグから順次読み取りを行っている最中は切替表示モードとし、タグ識別情報が取得されるたびに表示部の表示情報の内容が切り替わるようにする。また、操作者が上記のように携帯型無線タグ読み取り装置を動かし無線タグから順次読み取りを行った後、操作者が上記携帯型無線タグ読み取り装置の移動を停止させたときは固定表示モードとし、最後に取得されたタグ識別情報に対応した表示内容を表示部が固定的に表示する。これにより、操作者は、携帯型無線タグ読み取り装置の移動を停止させるだけで、最後に取得したタグ識別情報に係わる情報を表示部に固定的に表示させ、確実に視認することができる。
【００１５】
第４発明は、上記第３発明において、前記設置対象物の外観画像又は対象物識別情報と、当該設置対象物に対応する前記無線タグの前記タグ識別情報とを対応付けて記憶した記憶手段と、前記情報取得手段により取得された前記タグ識別情報に対応付けられた前記外観画像又は前記対象物識別情報を、前記記憶手段より取得するデータ取得手段とを有することを特徴とする。
【００１６】
これにより、取得したタグ識別情報を用いて記憶手段にアクセスし、対応する設置対象物の外観画像や対象物識別情報を取得して、表示部に表示させることができる。
【００１７】
第５発明は、上記第４発明において、前記表示制御手段は、前記切替表示モードでは、前記情報取得手段が取得した前記タグ識別情報を用いて前記データ取得手段が順次取得した前記外観画像を、前記表示部に情報取得履歴として一覧表示させ、前記固定表示モードでは、直近に前記情報取得手段が取得した前記タグ識別情報を用いて前記データ取得手段が取得した１つの前記外観画像を、前記表示部に拡大表示させることを特徴とする。
【００１８】
これにより、操作者が携帯型無線タグ読み取り装置を動かし無線タグから順次読み取りを行っている間は切替表示モードとし、取得されたタグ識別情報に対応した設置対象物の外観画像の取得履歴を表示部で一覧表示し、かつタグ識別情報が取得されるたびに外観画像を追加して表示内容が切り替わるようにしておく。操作者が上記携帯型無線タグ読み取り装置の移動を停止させると固定表示モードとし、最後に取得されたタグ識別情報に対応した１つの設置対象物の外観画像を表示部が固定的に表示する。これにより、操作者は、携帯型無線タグ読み取り装置の移動を停止させるだけで、最後にタグ識別情報を取得した設置対象物が何であるかを、容易に確認することができる。
【００１９】
第６発明は、上記第４発明において、前記表示制御手段は、前記切替表示モードでは、前記情報取得手段が取得した前記タグ識別情報を用いて前記データ取得手段が順次取得した前記対象物識別情報を、前記表示部に情報取得履歴として一覧表示させ、前記固定表示モードでは、直近に前記情報取得手段が取得した前記タグ識別情報を用いて前記データ取得手段が取得した１つの前記対象物識別情報又は１つの前記外観画像を、前記表示部に拡大表示させることを特徴とする。
【００２０】
これにより、操作者が携帯型無線タグ読み取り装置を動かし無線タグから順次読み取りを行っている間は切替表示モードとし、取得されたタグ識別情報に対応した設置対象物の対象物識別情報の取得履歴を表示部で一覧表示し、かつタグ識別情報が取得されるたびに対象物識別情報を追加して表示内容が切り替わるようにしておく。操作者が上記携帯型無線タグ読み取り装置の移動を停止させると固定表示モードとし、最後に取得されたタグ識別情報に対応した１つの設置対象物の対象物識別情報又は外観画像を表示部が固定的に表示する。これにより、操作者は、携帯型無線タグ読み取り装置の移動を停止させるだけで、最後にタグ識別情報を取得した設置対象物が何であるかを、容易に確認することができる。
【００２１】
第７発明は、上記第４発明において、前記表示制御手段は、前記切替表示モードでは、前記情報取得手段が取得した前記タグ識別情報を用いて前記データ取得手段が順次取得した前記外観画像ごとに、前記表示部に順次切り替えて表示させ、前記固定表示モードでは、直近に前記情報取得手段が取得した前記タグ識別情報を用いて前記データ取得手段が取得した１つの前記外観画像を、前記表示部に表示させることを特徴とする。
【００２２】
これにより、操作者が携帯型無線タグ読み取り装置を動かし無線タグから順次読み取りを行っている間は切替表示モードとし、取得されたタグ識別情報に対応した設置対象物の外観画像の取得履歴を表示部に順次切り替えて表示し、かつタグ識別情報が取得されるたびに外観画像が切り替わるようにしておく。操作者が上記携帯型無線タグ読み取り装置の移動を停止させると固定表示モードとし、最後に取得されたタグ識別情報に対応した１つの設置対象物の外観画像を表示部が固定的に表示する。これにより、操作者は、携帯型無線タグ読み取り装置の移動を停止させるだけで、最後にタグ識別情報を取得した設置対象物が何であるかを、容易に確認することができる。
【００２３】
第８発明は、上記第４発明において、前記表示制御手段は、前記切替表示モードでは、前記情報取得手段が取得した前記タグ識別情報を用いて前記データ取得手段が順次取得した前記対象物識別情報を、前記表示部に情報取得履歴として一覧表示させ、前記固定表示モードでは、それまでに前記情報取得手段が取得した全ての前記タグ識別情報に共通して予め定められ、前記記憶手段より前記データ取得手段が取得した特定の前記外観画像を、前記表示部に表示させることを特徴とする。
【００２４】
これにより、操作者が携帯型無線タグ読み取り装置を動かし無線タグから順次読み取りを行っている間は切替表示モードとし、取得されたタグ識別情報に対応した設置対象物の対象物識別情報の取得履歴を表示部で一覧表示し、かつタグ識別情報が取得されるたびに対象物識別情報を追加して表示内容が切り替わるようにしておく。操作者が上記携帯型無線タグ読み取り装置の移動を停止させると固定表示モードとし、それまでに取得された全てのタグ識別情報に共通して予め定められた特定の設置対象物の外観画像を表示部が固定的に表示する。これにより、操作者は、携帯型無線タグ読み取り装置の移動を停止させるだけで、最後にタグ識別情報を取得した設置対象物に対応した特定の設置対象物が何であるかを、容易に確認することができる。
【００２５】
第９発明は、上記第４発明において、前記表示制御手段は、前記切替表示モードでは、前記記憶手段に前記タグ識別情報と対応付けて記憶された複数の前記外観画像を前記表示部に一覧表示させるとともに、それら一覧表示された複数の外観画像のうち、当該外観画像に対応する前記タグ識別情報が前記情報取得手段により直近に取得された１つの外観画像を、それ以外の外観画像から区別可能に強調表示させ、前記固定表示モードでは、直近に前記情報取得手段が取得した前記タグ識別情報を用いて前記データ取得手段が取得した１つの前記外観画像を、前記表示部に拡大表示させることを特徴とする。
【００２６】
これにより、操作者が携帯型無線タグ読み取り装置を動かし無線タグから順次読み取りを行っている間は切替表示モードとし、記憶手段にタグ識別情報が記憶された複数の対象物の外観画像を表示部で一覧表示するとともに、取得されたタグ識別情報に対応した設置対象物の外観画像を他の外観画像と区別できるように強調表示し、かつタグ識別情報が取得されるたびに強調表示する設置対象物が切り替わるようにしておく。操作者が上記携帯型無線タグ読み取り装置の移動を停止させると固定表示モードとし、最後に取得されたタグ識別情報に対応した１つの設置対象物の外観画像を表示部が固定的に表示する。これにより、操作者は、携帯型無線タグ読み取り装置の移動を停止させるだけで、最後にタグ識別情報を取得した設置対象物が何であるかを、容易に確認することができる。
【００２７】
第１０発明は、上記第５乃至第９発明のいずれかにおいて、前記表示制御手段は、前記切替表示モードにおいては前記表示部の輝度を通常の輝度に設定し、前記固定表示モードにおいては前記表示部の輝度を前記通常の輝度よりも明るい輝度に設定することを特徴とする。
【００２８】
本願第１０発明においては、固定表示モードにおいて表示内容を固定的に表示するのみならず、輝度を明るくする。これにより、最後に取得したタグ識別情報に係わる設置対象物を操作者がさらに確認しやすくすることができる。
【発明の効果】
【００２９】
本発明によれば、操作者が表示内容をよく見たいときに、自動的に見やすいような表示内容に切り替え、操作者の利便性を向上することができる。
【図面の簡単な説明】
【００３０】
【図１】本実施形態のリーダの使用態様の一例を表す図である。
【図２】リーダの概略構成を表す機能ブロック図である。
【図３】リーダの全体的な外観を表す平面図である。
【図４】液晶パネルの表示画面例を表す図である。
【図５】リーダのＣＰＵによって実行される制御手順を表すフローチャートである。
【図６】切替表示モードで複数の機器名称の一覧表示を行う変形例における液晶パネルの表示画面例を表す図である。
【図７】切替表示モードで複数の機器画像の遷移表示を行う変形例における液晶パネルの表示画面例を表す図である。
【図８】切替表示モードで、事前表示したサムネイルに強調表示する変形例における液晶パネルの表示画面例を表す図である。
【図９】固定表示モードで代表画像を表示する変形例において、複数の物品の収納例を表す図である。
【図１０】液晶パネルの表示画面例を表す図である。
【発明を実施するための形態】
【００３１】
以下、本発明の一実施の形態を図面を参照しつつ説明する。
【００３２】
本実施形態の携帯型無線タグ読み取り装置であるリーダ１の使用態様の一例を図１を用いて説明する。
【００３３】
この例では、リーダ１は、店舗に保管されている機器Ｇの探索を行う場合に使用される。すなわち、店舗内の複数段の棚の各段に、設置対象物としての複数の機器Ｇが水平方向に並べられて陳列されている。それら機器Ｇに、それぞれ無線タグＴが貼付等により取り付けられている（煩雑防止のため一部図示省略）。
【００３４】
リーダ１は、携帯型いわゆるハンディタイプであり、その筐体２ａに、操作手段としての操作部７と表示部８とが設けられている。操作者Ｈがリーダ１を手に取り操作部７において所定の通信開始操作を行うと、リーダ１は上記複数の機器Ｇのそれぞれに貼付されている無線タグＴのうち通信可能領域２０に存在する無線タグＴに対し、リーダアンテナ３（後述の図２参照）により情報を送受する。この例では、リーダアンテナ３の通信可能領域２０は、リーダアンテナ３から筐体２ａの長手方向延長線上に延びる指向性により形成される。この結果、図１に示す使用例では、操作者Ｈが筐体２ａを手で持ち筐体２ａの先端部を上記複数の機器Ｇに向けた状態で、リーダ１は無線通信を行う。
【００３５】
リーダ１の概略構成を図２を用いて説明する。リーダ１は、上記筐体２ａを備えた本体制御部２と、装置アンテナとしてのリーダアンテナ３とを有している。
【００３６】
本体制御部２は、ＣＰＵ４と、記憶手段としての不揮発性記憶装置５と、メモリ６と、操作部７と、表示部８と、ＲＦ通信制御部９と、３軸加速度センサ２３とを備えている。
【００３７】
３軸加速度センサ２３は、例えば公知のピエゾ抵抗方式や静電容量方式によるＭＥＭＳ型などの３軸加速度センサである。この例では、リーダ１の本体制御部２の筐体２ａの幅方向、長さ方向、及び厚み方向にそれぞれ対応する方向、すなわち筐体２ａにおける座標軸方向の加速度を個別に検出する。また、ＣＰＵ４は、この３軸加速度センサ２３により検出された各軸方向の加速度をそれぞれ積算する、例えば公知の積分法などによる演算を行うことにより、移動状態量としての、リーダ１の移動速度を算出する。なお、３軸加速度センサ２３の代わりに角速度センサや速度センサを用いてもよい。さらに、リーダ１の移動を検出できるのであれば、別のセンサを用いてもよい。
【００３８】
無線タグＴは、タグアンテナ１５１とＩＣ回路部１５０とを備える無線タグ回路部Ｔｏを有している。無線タグ回路部Ｔｏに備えられたメモリ部（図示省略）には、当該無線タグ回路部Ｔｏの個体を特定するための、タグ識別情報としてのタグＩＤが記憶されている。
【００３９】
ＲＦ通信制御部９は、上記リーダアンテナ３を介し、無線タグ回路部ＴｏのＩＣ回路部１５０の情報へアクセスする。
【００４０】
音声報知部２２は、各種情報やメッセージを報知する。メモリ６は、例えばＲＡＭやＲＯＭ等から構成される。操作部７は、操作者Ｈからの指示や情報が入力される。表示部８は、各種情報やメッセージを表示する。
【００４１】
不揮発性記憶装置５は、ハードディスク装置やフラッシュメモリから構成される。不揮発性記憶装置５には、対象物識別情報である機器Ｇの名称等や機器Ｇの外観画像と、機器Ｇに設けられた無線タグＴの上記タグＩＤとが、予め関連付けられて記憶されている。
【００４２】
ＣＰＵ４は、ＲＡＭの一時記憶機能を利用しつつＲＯＭに予め記憶されたプログラムに従って信号処理を行い、リーダ１全体の各種制御を行う。ＣＰＵ４は、無線タグＴの上記ＩＣ回路部１５０から読み出された信号を処理して情報を読み出すとともに、無線タグ回路部ＴｏのＩＣ回路部１５０へアクセスするための各種コマンドを生成する。
【００４３】
またＣＰＵ４は、３軸加速度センサ２３が検出した軸ごとの移動加速度から移動速度成分を算出し、軸ごとの移動速度成分を用いて移動速度を算出する。そして、その算出した移動速度に基づき、ＣＰＵ４は、表示部８に表示させる表示情報の内容を変更する表示制御を行う。表示部８は、この表示制御に基づき、通信対象の無線タグＴの無線タグ回路部Ｔｏに対応する表示情報、例えば上記不揮発性記憶装置５に記憶された、機器Ｇの画像や機器Ｇの名称等を、操作者Ｈが視認可能なように表示する（詳細は後述）。
【００４４】
図３を用いて、リーダ１の外観について説明する。前述したように、リーダ１は、略直方体形状の上記筐体２ａを有している。筐体２ａには、上記表示部８と、上記操作部７と、音声報知部２２（図示省略。上記図２参照）と、スイッチＳＷとが設けられている。
【００４５】
表示部は、液晶パネル１１と、充電ランプ１３と、送信出力インジケータ１７とを備えている。
【００４６】
操作部７は、４つの方向キー１４Ｕ，１４Ｄ，１４Ｌ，１４Ｒと、決定キー１５と、送信／停止キー１６と、送信強度調整スライダ１８とを備えている。
【００４７】
液晶パネル１１は、リーダ１が行う各種の操作モードの切替状況や、各操作モードにおける各種情報やメッセージ等を文字や記号で表示する。操作モードには、タグ探索モード、インベントリモード、リスト作成モード等が予め用意されている。
【００４８】
タグ探索モードでは、液晶パネル１１に識別情報リストとして表示された通信対象である無線タグＴのタグＩＤの中から、少なくとも１つが指定される。そして、リーダ１は、当該無線タグＴが通信可能領域２０の範囲内に存在しているか否かを、常に問いかけるよう通信し続ける。タグ探索モードは、このようにして、通信対象として指定された無線タグＴのタグＩＤを取得するための処理である。
【００４９】
インベントリモードは、予め指定しておいた複数の通信対象が検出できるか否かだけを試行する処理である。このインベントリモードでは、リーダ１は、無線タグＴとの無線通信によりそれぞれ取得したタグＩＤと、予め設定記憶された識別情報リストに記載されたタグＩＤとの、照合を行う。このモードでは、目的とする無線タグＴの存在の有無だけが問題となるため、指定した複数の通信対象の無線タグＴが全て検出された時点で、処理が終了する。
【００５０】
リスト作成モードでは、無線通信により無線タグＴから取得されたタグＩＤを用いて、上記タグ探索モード、インベントリモードで使用される識別情報リストが作成される。すなわち、リスト作成モードでは、通信対象の無線タグＴの指定は行われず、通信可能領域２０の範囲内に存在する無線タグＴ全てとリーダ１が無線通信を行い、検出された無線タグＴが全てリストアップされる。作成された識別情報リストは、例えば不揮発性記憶装置５に保存される。
【００５１】
なお、以上４つの操作モードの切り替えは、前述した４つの方向キー１４Ｕ，１４Ｄ，１４Ｌ，１４Ｒのうちの左右方向キー１４Ｌ，１４Ｒを操作することにより行われる。
【００５２】
充電ランプ１３は、発光ダイオード（ＬＥＤ）などの発光素子により構成される。送信出力インジケータ１７は、３つのＬＥＤ１７ａ，１７ｂ，１７ｃで構成されており、それらの点灯個数によって送信出力の大きさを段階的に表示する。
【００５３】
４つの方向キー１４Ｕ，１４Ｄ，１４Ｌ，１４Ｒは、液晶パネル１１中に表示されるカーソルの移動指示や、複数の選択肢の選択指示などに用いられる。決定キー１５は上記選択の決定指示などに用いられる。
【００５４】
送信／停止キー１６は、通信対象の無線タグＴに対して各種の指示コマンドや無線通信の開始を指示するために用いられる。
【００５５】
また、送信強度調整スライダ１８は、つまみ１８ａの位置を図中の上下方向に段階的に移動させることのできるスライダ型のスイッチである。操作者Ｈは、送信強度調整スライダ１８を用いて、リーダアンテナ３から出力する電波の送信出力調整することができる。
【００５６】
スイッチＳＷは、移動速度に応じたモード切り替えの有効（ＯＮ）／無効（ＯＦＦ）を設定する（詳細は後述）。
【００５７】
ここで、本実施形態のリーダ１の最も大きな特徴は、３軸加速度センサ２３が検出した移動加速度から算出した移動速度に応じて、液晶パネル１１に表示させる表示情報の内容を切り替える、つまり移動速度が所定の条件を満たすかどうかに応じて、異なる表示情報を表示させる表示制御を行うことにある。以下、その表示制御の詳細を説明する。
【００５８】
既に述べたように、一般に、リーダ１は、使用時には、操作者Ｈが手で把持した状態で使用する。操作者Ｈは、リーダ１による通信を開始させた後、リーダ１をある程度の速度で動かしながら、無線タグＴからの情報の読み取りを行う。その後、操作者Ｈが、情報読み取り後等の適宜のタイミングで、情報読み取り結果等の表示内容の確認を意図する場合がある。この場合、操作者Ｈは、液晶パネル１１を正しく視認できるように、リーダ１の通信を終了させた後、上記のように動かす状態を止めリーダ１の移動を停止させることが多い。
【００５９】
本実施形態では、上記に対応し、ＣＰＵ４が、３軸加速度センサ２３の検出結果に基づき算出した移動速度を所定の切替基準である２つの速度しきい値と比較し、その比較結果に従って、表示情報の内容を切り替える。この切替基準とは、例えばリーダ１が、通信時において基準となる第１しきい値、例えば１０［ｃｍ／ｓ］以上の状態で移動した後に、通信終了後に基準となる第２しきい値、例えば５［ｃｍ／ｓ］以下となったかどうか、とすることができる。なお、第１しきい値と第２しきい値として同じ値を用いてもよい。すなわち、通信時にリーダ１の移動速度が１０［ｃｍ／ｓ］以上となっていればリーダ１は移動中であり操作者Ｈが情報読み取りを行っているとみなすことができ、その後通信が停止してリーダ１の移動速度が５［ｃｍ／ｓ］以下となったら、リーダ１はほぼ移動停止状態に近いことから操作者Ｈが情報読み取り結果に対応した表示内容を確認しようとしているとみなすことができる。したがってこの場合は、ＣＰＵ４は、表示情報の内容を、操作者Ｈが上記確認を行いやすいような内容の表示情報に切り替える。
【００６０】
図４を用いて、ＣＰＵ４が実行する上記の表示内容の切り替えについて説明する。以下、上記３つの操作モードのうちインベントリモードの場合の表示内容の切り替えを例にとって説明するが、他のモードにおいて同様の切り替えを行うようにしてもよい。
【００６１】
図４において、リーダ１が通信を行っている間は、図４（ａ）に示すように、無線タグＴとの無線通信により取得された無線タグ回路部ＴｏのタグＩＤに対応する画像、すなわち検出できた無線タグＴに貼付された機器Ｇの画像が不揮発性記憶装置５より取得されて表示部８に表示される。液晶パネル１１の画面に対して比較的小さく縮小された、いわゆるサムネイル形式により一覧表示される。この際、上記移動により複数の無線タグＴが順次検出された場合は、各機器Ｇの画像が履歴として残る形で、当該検出された順序で一覧表示される。
【００６２】
すなわち、１つの機器Ｇの無線タグＴが検出され当該機器Ｇの画像が表示された図４（ａ）に示す状態から、新たに別の機器Ｇの無線タグＴが検出された場合、図４（ｂ）に示すように、当該新たな機器Ｇの画像、つまり直近に検出した無線タグＴに対応した機器Ｇの画像が追加される形で表示される。これにより、サムネイルは、検出した無線タグＴに対応した画像を履歴として一覧表示する。そして、新たに追加された画像、すなわち直近に検出された無線タグＴに対応した画像は、新たに表示したことを操作者Ｈが把握できるように、図４（ｂ）に示すように他の画像よりも強調表示される。図示の例では、画像の外枠を他よりも太くすることで協調を行っている。なお、強調表示は、上記以外の方法で行ってもよい。例えば輝度を他より大きくする、他との識別を容易とする表示色を用いる、といった方法を採用してもよい。これら図４（ａ）及び図４（ｂ）に示す表示態様が、各請求項記載の切替表示モードに相当している。
【００６３】
そして、リーダ１が上記のような通信中に比較的に速い速度で移動し上記第１速度しきい値以上となった後、通信が終了しリーダ１の移動がほぼ停止して速度が上記第２しきい値以下となった場合は、上記サムネイル表示を止め、図４（ｃ）に示すように、最後に検出した無線タグＴに対応する機器Ｇの１つの外観画像を拡大表示する。図示の例では、図４（ａ）に表示した機器Ｇ、すなわちプリンタの画像が拡大表示されている。これは、操作者Ｈがリーダ１の動きを止めたのは、最後に検出した無線タグＴについて操作者Ｈが実際に読み取れたのか否かを確認する意図であるとみなせるからである。この図４（ｃ）に示す表示態様が、各請求項記載の固定表示モードに相当している。
【００６４】
上記の表示切り替えを実行するために、リーダ１のＣＰＵ４が実行する制御手順を図５に示す。例えばリーダ１の電源の投入後、このフローが開始される。このフローは、メモリ６のＲＯＭに記憶されたプログラムをＣＰＵ４が実行することにより実現される。
【００６５】
まずステップＳ５で、ＣＰＵ４は、操作部７への操作者Ｈの操作に応じて、モード設定を含む各種設定を行う。この設定は、上記操作モードとして、タグ探索モード、インベントリモード、リスト作成モードのいずれを設定するか、及び、３軸加速度センサ２３が検出した加速度に基づき図４（ａ）〜（ｃ）に示したような表示モードの切り換えを行うか否かのスイッチＳＷによる設定、等の各種設定が含まれる。
【００６６】
その後、ステップＳ１０で、ＣＰＵ４は、動作開始が指示されたか否か、つまり送信／停止キー１６を操作者Ｈが操作したかどうかを判定する。操作者Ｈにより動作開始が指示されない間は判定は満たされず、ループ待機する。操作者Ｈにより動作開始が指示された場合、判定が満たされ、ステップＳ１２に進む。
【００６７】
ステップＳ１２では、ＣＰＵ４は、上記第１しきい値に達したことを表す速度フラグＦをＦ＝０に初期化する。
【００６８】
その後、ステップＳ１５で、ＣＰＵ４は、上記ステップＳ５で設定された操作モードに従い、無線通信により無線タグＴから情報取得を行う。その後、ステップＳ２０に進む。
【００６９】
ステップＳ２０では、ＣＰＵ４は、３軸加速度センサ９からの検出出力に基づきリーダ１の加速度の値を取得する。そして、その取得結果よりリーダ１の移動速度を算出する。
【００７０】
そして、ステップＳ３０で、ＣＰＵ４は、液晶パネル１１に制御信号を出力し、前述の切替表示モードによる表示を行わせる。具体的には、図４（ａ）、図４（ｂ）に示したように、順次検出される無線タグＴが設けられた機器Ｇの画像をＣＰＵ４が上記不揮発性記憶装置５から取得し、サムネイル形式によって液晶パネル１１に一覧表示させる。その後、ステップＳ３５に進む。
【００７１】
ステップＳ３５では、ＣＰＵ４は、ステップＳ２０の算出結果に基づき、リーダ１の移動速度が上記第１しきい値以上であるか否かを判定する。例えば前述の例でリーダ１の移動速度が１０［ｃｍ／ｓ］以上であった場合はステップＳ３５の判定が満たされ、ステップＳ４０へ移る。
【００７２】
ステップＳ４０では、ＣＰＵ４は、上記速度フラグＦを、リーダ１の移動速度が上記第１しきい値以上であったことを表すＦ＝１とする。その後、ステップＳ４５へ移る。
【００７３】
一方、上記ステップＳ３５において、例えばリーダ１の移動速度が１０［ｃｍ／ｓ］未満であった場合はステップＳ３５の判定が満たされず、直接ステップＳ４５へ移る。
【００７４】
ステップＳ４５では、ＣＰＵ４は、無線タグＴの読み取り動作が終了したか、言い換えれば通信状態が終了したか否かを判定する。前述のタグ探索モード及びインベントリモードでは、取得すべきタグＩＤが全て取得されるか、操作者Ｈが送信／停止キー１６を停止操作することにより、読み取り動作が終了する。前述のリスト作成モードでは、操作者Ｈが送信／停止キー１６を停止操作することにより読み取り動作は終了する。読み取り動作が終了していた場合、ステップＳ４５の判定が満たされ、後述のステップＳ５０に移る。読み取り動作が終了していない場合にはステップＳ４５の判定は満たされず、ステップＳ１５に戻って同様の手順を繰り返す。
【００７５】
ステップＳ５０では、ＣＰＵ４は、上記ステップＳ４０において速度フラグＦが１となっているか、言い換えれば、リーダ１の移動速度が、上記第１しきい値以上となったかことがあるか否かを判定する。Ｆ＝０のままであった場合はステップＳ５０の判定が満たされず、上記ステップＳ１０に戻り同様の手順を繰り返す。Ｆ＝１となっていた場合はステップＳ５０の判定が満たされ、ステップＳ５５に移る。
【００７６】
ステップＳ５５では、ＣＰＵ４は、上記ステップＳ５における設定において、移動速度に応じた表示モードの切替がスイッチＳＷにより有効に設定されていたか否かを判定する。モード切替が有効となっていなかった場合、ステップＳ５５の判定は満たされず、前述のステップＳ１０に戻り同様の手順を繰り返す。モード切替が有効となっていた場合には、ステップＳ５５の判定が満たされ、ステップＳ６０に進む。
【００７７】
ステップＳ６０では、上記ステップＳ２０と同様、ＣＰＵ４は、３軸加速度センサ９からの検出出力に基づきリーダ１の加速度の値を取得し、その取得結果よりリーダ１の移動速度を算出する。
【００７８】
その後、ステップＳ６５で、ＣＰＵ４は、ステップＳ６０の算出結果に基づき、リーダ１の移動速度が上記第２しきい値以下であるか否かを判定する。例えば前述の例でリーダ１の移動速度が５［ｃｍ／ｓ］以下であった場合はステップＳ６５の判定が満たされ、ステップＳ７０へ移る。一方、上記ステップＳ６５において、例えばリーダ１の移動速度が５［ｃｍ／ｓ］より大きかった場合はステップＳ６５の判定が満たされず、ステップＳ６０へ戻り、移動速度が５［ｃｍ／ｓ］以下となるまで同様の手順を繰り返す。
【００７９】
ステップＳ７０では、ＣＰＵ４は、液晶パネル１１に制御信号を出力し、前述の固定表示モードによる表示を行わせる。具体的には、図４（ｃ）に示したような、直近に検出された無線タグＴが設けられた機器Ｇの画像を、ＣＰＵ４が上記不揮発性記憶装置５から取得し、上記切替表示モードのサムネイル表示において含まれた画像よりも拡大して表示させる。その後、ステップＳ１０に戻り、同様の手順を繰り返す。
【００８０】
以上において、ＣＰＵ４の実行するステップＳ１５が、各請求項記載の情報取得手段として機能し、ステップＳ２０及びステップＳ６０が移動検出手段として機能し、ステップＳ３５及びステップＳ６５が判断手段として機能し、ステップＳ３０及びステップＳ７０がデータ取得手段として機能するとともに、表示制御手段として機能する。
【００８１】
以上説明したように、本実施形態によれば、リーダ１の移動速度が通信中に第１しきい値以上となった後に通信停止して第２しきい値以下となり、操作者Ｈが表示内容を確認しようとしているとみなされた場合、液晶パネル１１の表示が、操作者Ｈが上記確認を行いやすいような固定表示モードによる表示に切り替えられる。上記の例では、液晶パネル１１の表示内容は、操作者Ｈが知りたい必要最小限に絞り込んだ形で、直近に検出された無線タグＴが設けられた機器Ｇの外観画像が拡大して表示される。この結果、操作者Ｈが表示内容をよく見たいときに、特別な操作を行わなくても、自動的に見やすいような表示内容に切り替えられ、操作者Ｈの利便性を向上させることができる。
【００８２】
なお、上記のように固定表示モードで液晶パネル１１に表示を行うとき、さらに液晶パネル１１の輝度を切替表示モードの輝度より明るくするようにしてもよい。この場合、操作者Ｈは表示内容をさらに確認しやすくなる。
【００８３】
なお、本発明は、その趣旨を逸脱しない範囲内において、種々の変更が加えられて実施されるものである。以下、そのような変形例を説明する。
【００８４】
（１）切替表示モードで複数の機器名称の一覧表示を行う場合
上記実施形態では、切替表示モードにおいて、検出した無線タグＴに係わる機器Ｇの画像をサムネイル表示し、固定表示モードにおいて、最後に検出した無線タグＴに係わる１つの機器Ｇの画像を拡大表示した。本変形例では、これに代えて、切替表示モードにおいて、対象物識別情報である機器Ｇの名称等を一覧表示する。
【００８５】
すなわち、上記切替表示モードでは、図６（ａ）に示すように、液晶パネル１１に、既に検出した無線タグＴに係わる機器Ｇの名称、型番がリスト形式で一覧表示される。なお、その際、図示のように、直近に検出した無線タグＴに係わる機器Ｇの名称をそれ以外のものより強調表示するようにしてもよい。
【００８６】
一方、上記固定表示モードでは、図６（ｂ）に示すように、上記実施形態と同様、最後に検出した無線タグＴに係わる１つの機器Ｇの画像が、液晶パネル１１にて拡大表示される。なお、図６（ｃ）に示すように、最後に検出した無線タグＴに係わる１つの機器Ｇの名称を、液晶パネル１１にて拡大表示するようにしてもよい。
【００８７】
本変形例によっても、上記実施形態同様の効果を得る。すなわち、リーダ１の移動速度が通信中に第１しきい値以上となった後に通信停止して第２しきい値以下となった場合、操作者Ｈが知りたい必要最小限に絞り込んだ形で、直近に検出された無線タグＴが設けられた機器Ｇの外観画像、若しくは、テキストによる機器Ｇの名称、が液晶パネル１１に拡大表示される。この結果、操作者Ｈは、最後に無線タグＴを検出した機器Ｇが何であるかを容易に確認することができる。したがって、操作者Ｈの利便性を向上させることができる。
【００８８】
（２）切替表示モードで複数の機器画像の遷移表示を行う場合
本変形例では、切替表示モードにおいて、機器Ｇの外観画像を順次切り替えて遷移表示する。
【００８９】
すなわち、上記切替表示モードでは、図７（ａ）に矢印を付して示すように、液晶パネル１１に、既に検出した複数の無線タグＴに係わる複数の機器Ｇの外観画像が所定間隔で自動的に切り替えられ遷移して表示される。
【００９０】
一方、上記固定表示モードでは、図７（ｂ）に示すように、上記実施形態と同様、最後に検出した無線タグＴに係わる１つの機器Ｇの画像が、液晶パネル１１にて拡大表示される。なお、リーダ１の移動がほぼ停止して切替表示モードから固定表示モードに切り替えられるとき、上記のような、最後に検出した無線タグＴに係わる１つの機器Ｇの画像に代え、遷移途中で表示されている１つの機器Ｇの画像を拡大表示するようにしてもよい。
【００９１】
本変形例によっても、上記実施形態や上記（１）の変形例同様、操作者Ｈは、最後に無線タグＴを検出した機器Ｇが何であるかを容易に確認でき、利便性を向上することができる。
【００９２】
（３）切替表示モードで、事前表示したサムネイルに強調表示する場合
【００９３】
本変形例では、切替表示モードでは、図８（ａ）に示すように、予め複数の機器Ｇの外観画像を予めサムネイルで一覧表示しておくとともに、そのうち直近に検出した無線タグＴに対応する機器Ｇの画像を強調表示する。一方、固定表示モードでは、図８（ｂ）に示すように、上記実施形態や（１）の変形例と同様、最後に検出した無線タグＴに係わる１つの機器Ｇの画像が、液晶パネル１１にて拡大表示される。
【００９４】
本変形例によっても、上記実施形態及び（１）の変形例と同様、操作者Ｈは、最後に無線タグＴを検出した機器Ｇが何であるかを容易に確認でき、利便性を向上することができる。
【００９５】
（４）固定表示モードで代表画像を表示する場合
上記実施形態や（１）〜（３）の変形例では、無線タグＴの設置対象物である物品の例として、機器Ｇを例にとって説明した。しかしながら、例えば、段ボールの中に密集して詰め込まれた衣類や、書棚に密集して並べられた同一シリーズの書物等、複数の物品が比較的類似の外観的属性を持つ場合がある。本変形例は、無線タグＴの設置対象物がそのような複数の物品である場合に対応した例である。
【００９６】
例えば図９に示す例では、外観上、色のみが異なり形状が同一の衣類Ｇ１，Ｇ２，Ｇ３，・・等が、１つの箱の中に収められている。そして、この箱の蓋が閉じられた場合には、当該箱の中に何が収納されているのかを、当該箱の外側から目視して確認することができない。本変形例のリーダ１は、箱の外側から、これら衣類Ｇ１，Ｇ２，Ｇ３，・・に貼付された複数の無線タグＴの検出を行う。このとき、上記不揮発性記憶装置５では、上記実施形態のように、衣類Ｇ１に設けた無線タグＴのタグＩＤに衣類Ｇ１の外観画像が関連付けられ、衣類Ｇ２に設けた無線タグＴのタグＩＤに衣類Ｇ２の外観画像が関連付けられ、衣類Ｇ３に設けた無線タグＴのタグＩＤに衣類Ｇ３の外観画像が関連付けられる、等ではない。すなわち、本変形例では、衣類Ｇ１，Ｇ２，Ｇ３，・・にそれぞれ設けた複数の無線タグＴのいずれのタグＩＤに対しても、衣類Ｇ１〜Ｇ３等を代表する１つの衣類、例えば衣類Ｇ１の外観画像が関連付けられるのである。代表画像をいずれの画像とするかは、予め適宜の手法で定めておけばよい。
【００９７】
本変形例において、上記切替表示モードでは、図１０（ａ）に示すように、上記実施形態と同様、液晶パネル１１に、既に検出した無線タグＴに係わる衣類Ｇ１，Ｇ２，Ｇ３・・の名称等がリスト形式で一覧表示される。そして、上記固定表示モードでは、図１０（ｂ）に示すように、上記予め定められた代表画像、この例では、衣類Ｇ１の画像が、液晶パネル１１にて拡大表示される。
【００９８】
本変形例においても、上記実施形態と同様、リーダ１の移動速度が通信中に第１しきい値以上となった後に通信停止して第２しきい値以下となり、操作者Ｈが表示内容を確認しようとしているとみなされた場合、液晶パネル１１の表示が、操作者Ｈが上記確認を行いやすいような固定表示モードによる表示に切り替えられる。上記の例では、液晶パネル１１の表示内容は、操作者Ｈが知りたい必要最小限に絞り込んだ形で、代表画像である衣類Ｇ１の外観画像が拡大して表示される。この結果、操作者Ｈは、ダンボール箱を開けることなく、内部に入っているのが衣類Ｇ１〜Ｇ３等のような衣類、例えばＴシャツであることを容易に確認することができる。したがって、操作者Ｈの利便性を向上させることができる。
【００９９】
なお、以上において、図５に示すフローチャートは本発明を上記フローに示す手順に限定するものではなく、発明の趣旨及び技術的思想を逸脱しない範囲内で手順の追加・削除又は順番の変更等をしてもよい。
【０１００】
（５）その他
以上においては、上記切替表示モードと上記固定表示モードとを切り替えるための所定の条件を、通信中にリーダ１の移動速度が第１しきい値以上となった後、リーダ１が通信停止して移動速度が第２しきい値以下となったこと、とした。しかしながら、これに限られるものではない。例えばリーダ１の電源投入後、無線通信を行うことなく移動速度が所定のしきい値以下になったことを上記所定の条件としてもよい。あるいは、無線通信時のリーダ１の移動速度がほぼ静止状態で、その静止状態のまま無線通信が停止したことを上記所定の条件としてもよい。あるいは、無線通信時のリーダ１の移動速度がほぼ静止状態で、その後無線通信が停止したときの移動速度が比較的大きい値から所定のしきい値以下になったことを上記所定の条件としてもよい。いずれにしても、通信時移動速度等のリーダ１の通信時移動状態量と、非通信時移動速度等のリーダ１の非通信時移動状態量とが、予め定められた所定の条件を満たすかどうかに基づいて、ＣＰＵ４が、上記切替表示モードと上記固定表示モードとを切り替えるようにすればよい。
【０１０１】
また、以上既に述べた以外にも、上記実施形態や各変形例による手法を適宜組み合わせて利用しても良い。
【０１０２】
その他、いちいち例示はしないが、本発明は、その趣旨を逸脱しない範囲内において、種々の変更が加えられて実施されるものである。
【符号の説明】
【０１０３】
１                リーダ（携帯型無線タグ読み取り装置）
３                リーダアンテナ（装置アンテナ）
４                ＣＰＵ
５                不揮発性記憶装置（記憶手段）
８                表示部
９                ＲＦ通信制御部
１１              液晶パネル
２３              ３軸加速度センサ
１５０            ＩＣ回路部
１５１            タグ側アンテナ
Ｇ                機器
Ｈ                操作者
Ｔｏ              無線タグ回路部
【図１】
2011076337.tif 000003
【図２】
2011076337.tif 000004
【図３】
2011076337.tif 000005
【図４】
2011076337.tif 000006
【図５】
2011076337.tif 000007
【図６】
2011076337.tif 000008
【図７】
2011076337.tif 000009
【図８】
2011076337.tif 000010
【図９】
2011076337.tif 000011
【図１０】
2011076337.tif 000012